(57)【要約】【課題】河川、人口運河等の落差工及び魚道において、環境汚染に配慮し、森林資源の有効利用と森林の育成・活性化を軸として、水棲生物の生息域の確保と安全な移動を兼ね備えた魚巣を併用した木製の魚道装置の提供。【解決手段】木製の渇水ユニット１、側面ユニット２、跳水防止と側部からの土砂流入防止を兼ねた木製パネル３、水棲生物を速やかに魚巣内に誘導する誘導プール４、既設のコンクリートダムとの接続を考慮した接続ユニット５、水棲生物が魚巣内部を自由に移動し且つユニット同士の結合を兼ねた連結ユニット６から構成される。雨期や融雪期等、河川の流水量が多い時期は、ユニット全面を流下するが、渇水期等流水量の少ない時期でも接続ユニットにより、魚巣内に新鮮な水が供給され、渇水ユニットにより溯上魚群が迷走する事なく溯上できる。【選択図】  図１
2004316311.tif 000002
【特許請求の範囲】
【請求項１】
配列の異なる木材の密着された多重板ユニットを組み合わせて、段違いに多段結合してなる魚巣を併用した魚道装置。
【請求項２】
配列の異なる木材の密着された多重板ユニット同士の開口部に接続する連結装置。
【発明の詳細な説明】
【０００１】
【発明の属する技術分野】
本発明は、河川、人口運河等の水路の落差工及び魚道に関し、特に、魚、貝、蟹等の水棲生物の生息に適した魚巣を併用した落差工及び魚道に関するものである。
【０００２】
【従来の技術】
従来の魚巣付き魚道は、コンクリートによる現場打設工か二次製品（魚道ブロック等）によるものが大多数で、コンクリートによる現場打設工では養生等により施工期間が長く必要となる傾向があり、二次製品を採用した場合は多少の工期は短縮されるが、型枠の都合上数種類の組み合わせで施工するため、落差や流水表面の勾配が現状の地形や対象魚に無関係に様々な河川に一定の落差や勾配で配置されているのが現状である。また、コンクリートの現場打設工は勿論のこと、二次製品を採用した場合においても基礎コンクリートや隔壁等の現場打設工が発生し、その施工過程で水質の汚染を発生、増進させ水棲生物の生息環境を悪化させている。
【０００３】
【発明が解決しようとする課題】
ところが、二次製品や現場打設コンクリートをいかに自然に見せかけても、自然界に自然発生するものではないため、現場に馴染まず魚巣としての本来の意義を果たしていないのが実状である。また、現場打設コンクリートは養生に時間がかかり、二次製品は搬入等に制約が有り、自然を守るために自然を破壊しなければならないという事態が発生する。また、渓流魚は一定流域内で自分のテリトリーを持って生活しているため、大規模な河川改修やダムの工事等により河川自体がコンクリート臭を放つ状態が解消されるまで魚影が見えなくなるのは当然のことである。
【０００４】
そこで、本発明の目的は、既に施工されている治山ダムや砂防ダムにより溯上不能となった渓流や、今後ダムを建設する必要のある河川、渓流、人口水路等において、自然界に存在する材質で、鮭や鱒等の溯上大型魚のみならず、溯上を必要としないヤマベやウグイ等の渓流魚も含めて自然にやさしい魚巣を併用した魚道工を提供することにある。また、本発明の別の目的は、工場でパーツを作り、現地で組み立てるという手法を採用するため工期が短縮され、様々な形状のユニットを組み合わせることにより、水路の縦断方向のみならず横断方向にも落差を自由につけることが可能なため現状重視の自然河川をよみがえらせることが可能な魚巣を併用した魚道装置を提供することにある。
【０００５】
【課題を解決するための手段】
上記目的を達成するために、本発明の魚巣を併用した魚道装置は、木材を使用することにより、材料の入手が容易であるし、木材を直交や斜交等の異なる配列に多重することにより、十分な強度を得ることが可能である。この多重構造により壁材の間に防水材を挟むことが可能で漏水対策も簡易になる。
また、設置場所の地況や対象魚の種類により、必ずしも直方体構造でなくてもよい。
側方部の跳水対策を施した側面ユニットと渇水期対策の渇水ユニット、ダムとの接合部に設置する接合ユニットから構成され、下流に隣接する魚道ユニット方向には、壁材上部に放水路を設けることにより、表面水の流路を規制し、溯上魚群の迷走を抑制することが可能となり、強度の向上を狙って魚道ユニットのコーナーにその内角に合わせた板材を設置することにより有効な餌棚や鳥類の攻撃から身を守るための逃げ場所を確保してもよい。隣接する魚道ユニットには落差を設けるのが望ましく、地況や対象魚に応じた落差を確保することが可能となる。そもそも鮭や鱒等の大型魚は溯上するうえで必要なのは、広い浅瀬ではなく、体をくねらせた反動を利用して跳ねあがるための水深を必要とするのである。
側面ユニットと渇水ユニットの形状の大きな違いは、魚道工の表面を流下する流水が、魚道外に飛散するのを防止するために側方部壁面をユニットの天端より高くして跳水対策を施しているのが側面ユニットの大きな特徴であるが、合理性を計るため側面ユニットと渇水ユニットを同形にして、側方部に３面落しや押角等の間伐材もしくは木材を、内側と外側に異なる配列で密着配列し強度を高めた木製のパネルを流水の飛散防止と魚道外からの土砂流入抑制、及びユニット全体の移動を抑制するために配置してもよい。また、最下流部のユニットが、地中に埋め込む形状となるため流水の流速を緩和することが期待されるが、洗掘防止と洗掘によるユニット全体の移動を防止する目的で３面落し材や押角材等の間伐材もしくは木材を、内側と外側に異なる配列で密着配列し強度を高めた木製のパネルを設置し、木製の魚巣を併用した魚道装置全体を包み込むような形状も可能である。その下流側に丸太を連続して打ち込むことで代用できるが前記の木製パネルを利用して木製の魚巣を併用した魚道装置に溯上魚群を速やかに誘導することと洗掘を抑制する目的から誘導プールを設けることも可能である。（請求項１）
【０００６】
それぞれのユニットが隣接するユニット方向に魚群が回遊できるよう壁面に開口部を設け、木製の連結ユニットを介在させる。これは、ユニット間の空隙からの漏水を抑制するだけでなく、上流から流入した新鮮な水を常に魚道内部に供給し、水棲生物に安定した生息地を提供する上で必要な部品である。（請求項２）
【０００７】
【発明の実施の形態】
発明の実施の形態を実施例に基づき図面を参照して説明する。
図１は、落差と形状が自在にできる木製の魚巣を併用した魚道ユニットの全景で木製の渇水ユニット１、側面ユニット２、跳水防止と側部からの土砂の流入防止を兼ねた木製パネル３、水棲生物を速やかに魚巣内に誘導する誘導プール４、既設のコンクリートダムとの接続を考慮した接続ユニット５、水棲生物が魚巣内部を自由に移動し且つユニット同士の結合を兼ねた連結ユニット６から構成される。ここでは、流水の流下方向をダム軸に直交すると仮定した図となっているが、ユニットの形状を三角形や多角形に変化させる事によりＳ字やクランク等、現状の地形に馴染んだ形状を維持することが可能である。
【０００８】
図２は、図１で示した各ユニットの壁材や底材となるパネルで、直交や斜交等の異なる配列で互いに密着するように平滑面同士を併せたものである。図は三面落し材を使用しているが、押角材や角材その他の材料でも密着できるような形状であれば可能である。ここでは、密着させる手段として、異なる配列で重ね合わせたものを、それぞれが分離しないよう穿孔し、ネジ切りした丸鋼７を六角ボルト８で座金９を重ね、締めて密着しているが、接着剤や鎹・釘・バンセン等で結合してもよいし、材料に細工を施して結合してもよい。尚、多重構造とした方が強度は増すが、ユニット間の厚みや重量も増加するため、施工上、強度的に問題がなければ二重構造が望ましい。
【０００９】
図３は、魚道ユニットの渇水対策用ユニットの全景である。図２のパネルを縦横に結合したもので、その結合の方法は接着剤や鎹・釘・バンセン等で結合してもよいし、材料に細工を施して結合してもよいが、注意しなければいけないのは、壁材と底材との結合においては浮力を考慮し、強固な結合としなければならない。側面部の上部開口部１０は放水路、下部の開口部１１は水棲生物が移動や回遊するための通路で、図５の連結ユニットが隣接するユニットの移動防止を兼ねて配置されるが、隣接するユニット同士を河川の流水量に応じて、直接結合させてもよい。
【００１０】
図４は、魚道ユニットの側面ユニットの全景である。図２のパネルを縦横に結合したもので、その結合の方法は、接着剤や鎹・釘・バンセン等で結合してもよいし、材料に細工を施して結合してもよいが、注意しなければいけないのは、壁材と底材との結合においては浮力を考慮し、強固な結合としなければならない。渇水ユニット同様、側面部の上部開口部１２は放水路、下部の開口部１３は水棲生物が移動や回遊するための通路となり、図５の連結ユニットが配置される。
【００１１】
図５は、上記の渇水ユニットや側面ユニットなど隣接するユニット同士の移動防止と水棲生物の移動通路を兼用した連結ユニットの全景である。その結合の方法は、図２のパネル同様、それぞれが分離しないよう穿孔し、ネジ切りした丸鋼１４を六角ボルト１５で座金１６を重ね、締めて密着しているが、接着剤や鎹・釘・バンセン等で結合してもよいし、材料に細工を施して結合してもよい。また、渇水ユニットや側面ユニットとの結合は、接着剤や釘・楔等を使用してもよいが、木製品の濡れると膨張するという特徴を生かして、嵌め込むことも可能である。また、図５では直方体形状としているが、水棲生物の種類や大きさに応じて、形状を変化させてもよい。
【００１２】
図６は、コンクリート製のダムや既設の構造物等に接続するための接続ユニットの全景で、ここでは下流側に法が設定されたコンクリート製重力式の治山ダムの放水路での接続を想定している。図２のパネルを縦横に結合したもので、その結合の方法は接着剤や鎹・釘・バンセン等で結合してもよいし、材料に細工を施して結合してもよいが、注意しなければいけないのは、壁材と底材との結合においては浮力を考慮し、強固な結合としなければならない。また、コンクリートダムと木製のユニットとの結合は、接合材料の違いから漏水によるユニット下部のパイピング現象に繋がる可能性があるため、図６で示すように、コンクリートの表面に木材１７を貼り付ける等の工夫をしてもよい。ここでは、融雪期や降雨期の流水力によるコンクリートと木材の接合面からの剥離を考慮し、木材をダム上流側に巻き込み１８を付けて抑制した図となっている。コンクリートに木材を貼り付ける方法としては、接着剤やアンカー等、剥離しないよう強固なものが望ましい。さらに、それぞれの材料を連結結合させるために、それぞれに穿孔しワイヤー等で連結結合させてもよい。
【００１３】
図７は、図１の切断面図である。水棲生物や溯上魚群は下流の誘導プール１９や上流のダム放水路２０に導かれ魚道工の内部に入る。溯上魚群はユニット上部の開口部（放水路）２１や連結ユニット２２を通過して上流へと溯上する。溯上を必要としない魚類や水棲生物は、縦横に開口された連結ユニット２２を使用して回遊や移動を行う。この構造により、ユニット内部は常に新鮮な水が供給され、鳥類等の外敵に身をさらすことなく営巣できる良好な魚巣を併用した魚道となる。
【００１４】
【発明の効果】
本発明は、以上説明したように構成されているので、以下に記載されるような効果を奏する。
【００１５】
魚巣内に開口部を設けることにより、表面の一方的な水の流れだけでなく、魚巣内部にも水流が発生するため溯上魚が大小を問わず迷走することなく、溯上でき、魚巣内は常に新鮮な水が供給されるため、水棲生物に安定した生息地を提供することができる。
【００１６】
自然界に存在する材質を素材としているため、環境汚染に配慮し、生態系を歪めずに施工でき、対象魚を選ぶ必要のない経済的、且つ自然に優しい魚巣を併用した魚道を提供することができる。
【００１７】
特に、間伐材を利用することにより、水棲生物の保護のみならず森林資源の有効利用と森林の育成に寄与できるという二面性を持った魚巣を併用した魚道を提供することができる。
【００１８】
水中においては耐久性があり、水の浄化に効果があり、補修が容易にできるという木材の特性を活かした自然環境重視の工法といえる。
【図面の簡単な説明】
【図１】落差と形状が自在にできる木製の魚巣を併用した魚道ユニットの全景である。
【図２】魚道ユニットの壁材や底材となる木製パネルの全景である。
【図３】側面ユニットの全景である。
【図４】渇水ユニットの全景である。
【図５】連結ユニットの全景である。
【図６】接合ユニットと既設ダムとの接合状況である。
【図７】落差と形状が自在にできる木製の魚巣を併用した魚道ユニットの切断面図である。
【符号の説明】
１  渇水ユニット
２  側面ユニット
３  木製パネル
４、１９  誘導プール
５  接合ユニット
６、２２  連結ユニット
７、１４  丸鋼
８、１５  六角ボルト
９、１６  座金
１０、１２、２１  ユニット放水路
１１、１３  開口部
１７、２０  ダム放水路
１８  巻き込み
【図１】
2004316311.tif 000003
【図２】
2004316311.tif 000004
【図３】
2004316311.tif 000005
【図４】
2004316311.tif 000006
【図５】
2004316311.tif 000007
【図６】
2004316311.tif 000008
【図７】
2004316311.tif 000009